(57)【要約】【課題】筐体内に収納した無電極ランプの点灯に際して、無電極ランプから発生する磁束が光照射部から漏れ難く、輻射雑音を抑制できる照明器具の提供を目的とする。【解決手段】本発明の照明器具は、コイル巻回部２０ａを有する無電極ランプ２と、筐体３１とを備えている。筐体３１は、無電極ランプ２を収納した金属製の筒状体３１ａと、筒状体３１ａの一部に形成され光照射部３２とを備えている。筒状体３１ａは、その軸Ｏ２が無電極ランプ２のバルブ２１の軸Ｏ１に対して傾斜しているとともに、コイル巻回部２０ａの径外側の全周を筒状体３１ａが包囲するように構成されている。【選択図】図１
2009205822.tif 000002
【特許請求の範囲】
【請求項１】
放電ガスが封入された電球状のバルブ内に、そのバルブの軸方向に沿うコアに誘導コイルを巻回してその軸方向に所定の巻回長さに形成したコイル巻回部を備えた無電極ランプを、光照射部が設けられた筐体内に収納し、無電極ランプの光を光照射部から筐体外に照射する照明器具であって、
前記筐体は、前記無電極ランプを収納した導電性を有する筒状体を備え、
前記光照射部は、前記筒状体の一部に設けられ、
前記筒状体は、その軸が前記バルブの軸に対して傾斜しているとともに、前記コイル巻回部の径外側の全周を包囲するように構成されていることを特徴とする照明器具。
【発明の詳細な説明】
【技術分野】
【０００１】
本発明は、放電ガスが封入されたバルブを備えた無電極ランプを収納した照明器具に関する。
【背景技術】
【０００２】
無電極ランプを収納した照明器具は、従来から知られている。例えばバルブの外周側に誘導コイルを配設した無電極ランプと、バルブの軸方向に光照射部を有しバルブの径外側に金属反射板を配設した無電極ランプ用保持具とを備えるとともに、その金属反射板にスリットを設けたものが提案されている（特許文献１参照）。
【０００３】
しかし、このものにおいては、誘導コイルの発生する磁束は、金属反射板で遮ることができず、輻射雑音が非常に大きいという問題点があった。
【０００４】
又、上記照明器具として、例えばバルブの内部に誘導コイルおよびフェライトコアを配設した無電極ランプを保持したものが提案されている（特許文献２参照）。このものにおいては、バルブの内部にフェライトコア及びそのフェライトコアの外周に誘導コイルを巻回したコイル巻回部を配設しているため、コイル巻回部やコアが発生する磁束は、上記特許文献１に記載のものよりも大きく広がらない。つまり、上記特許文献１に記載のようなスリットを金属反射板に設けておかなくても、コイル巻回部やコアが発生する磁束の多くは、金属反射板に鎖交せず、大きなループ電流は流れないため、損失が大きくならない。
【特許文献１】特開２００１−３３８７８８号公報
【特許文献２】特開２００４−８７１４９号公報
【発明の開示】
【発明が解決しようとする課題】
【０００５】
ところが、上記特許文献２に記載の無電極ランプ１００を、例えば図３に示すような筐体１１０に収納して点灯させると、次のような問題点を有する。即ち、筐体１１０は、筒状体１１１とその筒状体１１１に形成された光照射部１１２とを有する。そして、筐体１１０の筒状体１１１に、無電極ランプの軸と筒状体１１１との軸とを一致させるようにして収納し、無電極ランプを点灯させた場合、コイル巻回部からその径外方向に生じる磁束が光照射部１１２から漏れ易く、輻射雑音を十分に抑制できない。
【０００６】
本発明は、筐体内に収納した無電極ランプの点灯に際して、無電極ランプから発生する磁束が光照射部から漏れ難く、輻射雑音を抑制できる照明器具を提供することを目的とする。
【課題を解決するための手段】
【０００７】
前記課題を解決するために、本発明の請求項１は、放電ガスが封入された電球状のバルブ内に、そのバルブの軸方向に沿うコアに誘導コイルを巻回してその軸方向に所定の巻回長さに形成したコイル巻回部を備えた無電極ランプを、光照射部が設けられた筐体内に保持し、無電極ランプの光を光照射部から筐体外に照射する照明器具であって、前記筐体は、前記無電極ランプを収納した導電性を有する筒状体を備え、前記光照射部は、前記筒状体の一部に設けられ、前記筒状体は、その軸が前記バルブの軸に対して傾斜しているとともに、前記コイル巻回部の径外側の全周を包囲するように構成されていることを特徴とする照明器具を提供する。
【発明の効果】
【０００８】
本発明によれば、筒状体は、その軸が前記バルブの軸に対して傾斜しているとともに、前記コイル巻回部の径外側の全周を包囲するように構成されている。これにより、コイル巻回部から生じた磁束を、筐体の筒状体に、ループ電流にして流して消費させることができ、筐体外に出る無電極ランプからの輻射雑音を低減できる。
【発明を実施するための最良の形態】
【０００９】
以下、本発明を実施するための最良の形態について、図面を参照しながら詳細に説明する。図１は、本発明の一実施の形態の照明器具の概略説明図である。
【００１０】
この実施形態の照明器具１は、図１に示すように無電極ランプ２と、無電極ランプ用保持具３とを備えている。
【００１１】
無電極ランプ２は、ガラス製の電球状のバルブ２１を備えている。このバルブ２１の軸方向の基端部２１ａは、口金２３に連結されている。バルブ２１の中心軸部には、基端側から軸方向の先端側に凹まれるようにして形成されたキャビティ２４と、このキャビティ２４の底部分２４ａから開口部分２４ｂに向かって延在する排気細管２５とが一体的に形成されている。
【００１２】
キャビティ２４内には、排気細管２５に挿入された状態の円筒状のシリンダ２６が設けられている。このシリンダ２６は、後述する点灯回路（図示せず）と電気的に接続されるカプラ２８の一部を構成し、キャビティ２４の開口部分２４ｂから外部に突出して、口金２３に形成された穴に嵌め合わされている。
【００１３】
又、カプラ２８は、口金２３に嵌合されているとともに、無電極ランプ２の基端側に設けられた板状の放熱板３０に接続されている。
【００１４】
バルブ２１の内面には、図示しないが保護膜と蛍光体膜との２層が形成されている。また、キャビティ２４のバルブ２１内の周面にも、保護膜と蛍光体膜との２層が形成されている。
【００１５】
又、キャビティ２４内の上部には、上記シリンダ２６の外周に嵌め込まれた状態でフェライトコア２９と誘導コイル２０とが設けられている。フェライトコア２９は、誘導コイル２０に通電する高周波電流が数百ＫＨｚという低い周波数であるために必要とするものである。この実施形態では、フェライトコア２９は、円筒状のものから構成され、バルブ２１とほぼ同軸になるように配設されている。
【００１６】
誘導コイル２０は、フェライトコア２９の外周に巻回されている。この実施形態では、誘導コイル２０は、フェライトコア２９の軸方向のコア長さの１／３程度の長さ範囲に巻回されている。これにより、フェライトコア２９の外周に、コイル巻回部２０ａが形成されているとともに、コイル巻回部２０ａの軸方向の巻回長さが上記コア長さの１／３程度とされている。
【００１７】
バルブ２１内には、不活性ガスや水銀等の放電ガスが封入されている。なお、不活性ガスとしては、例えばネオン、アルゴン、クリプトン、キセノンが挙げられる。また、この実施形態の排気細管２５内には、総量が略２０ｍｇ、重量比で５０：５０の亜鉛・水銀化合物が収納され、バルブ２１内に水銀を放出させることができるようになっている。
【００１８】
次に、無電極ランプ用保持具３について説明する。無電極ランプ用保持具３は、無電極ランプ２を収納する金属製の箱状の筐体３１を備えている。
【００１９】
筐体３１は、直方体状の筒状体３１ａを備えている。この筒状体３１ａの左右両側は、側壁によって塞がれている。尚、この実施形態では、筒状体３１ａ内に、図示しないが、湾曲状の湾曲反射部材が設けられており、無電極ランプ２の光を光照射部３２の方向に反射し得るようになっている。
【００２０】
又、筒状体３１ａの下側壁には、収納した無電極ランプ２の光を筐体３１外に照射する光照射部３２が設けられている。この実施形態では、光照射部３２は、筒状体３１ａの下側壁３１ｂに、その下側壁３１ｂの一部を開口することにより形成されている。
【００２１】
また、この実施形態では、光照射部３２には、透光性パネル３３が、光照射部３２を覆うように配設され、その状態で、透光性パネル３３が筒状体３１ａの下側壁３１ｂに取り付けられている。
【００２２】
このように構成された筐体３１の筒状体３１ａ内に、無電極ランプ２が、筒状体３１ａの軸Ｏ２がその無電極ランプ２のバルブ２１の軸Ｏ１に対して所定の角度αを持って傾斜するようにして収納されている。
【００２３】
この実施形態では、上記角度αは、２０°〜４０°程度とされている。又、この状態で、無電極ランプ２におけるコイル巻回部２０ａの径外側（図１における２つの二点鎖線内の領域）には、全周にわたって筒状体３１ａの上下前後の各側壁が配設されている。即ち、コイル巻回部２０ａの径外側は、全周にわたって筒状体３１ａに包囲されている。
【００２４】
そして、この状態で、無電極ランプ２は、図示しないランプ保持部材を介して筒状体３１ａに取り付けられている。
【００２５】
このように構成された照明器具１は、例えば天井面に、筐体３１の下側壁３１ｂが取り付けられるようにして装着されて使用される。
【００２６】
そして、その状態で、図示しない点灯回路から高周波電流を無電極ランプ２の誘導コイル２０に通電すると、誘導コイル２０のコイル巻回部２０ａの周囲に誘導電界（高周波電磁界）が発生する。この誘導電界をバルブ２１に作用させることでプラズマを発生させ、水銀原子から発生する紫外線がバルブ２１の蛍光体膜で可視光に変換され、バルブ２１を透過する。又、その光は、光照射部３２から透光性パネル３３を介して下方に照射される。
【００２７】
又、その際、無電極ランプ２から磁束がその径外側に発生する。又、磁束を発生するのは、主にコイル巻回部２０ａ及びフェライトコア２９と考えられ、特にコイル巻回部２０ａの径外側が最も磁束密度が高くなると考えられる。
【００２８】
この実施形態では、コイル巻回部２０ａの径外側は、全周にわたって金属製の筒状体３１ａに包囲されているため、図２に示すように上記コイル巻回部２０ａから径外方向に生じた磁束は、筒状体３１ａに、ループ電流１０になって流れて消費される。従って、無電極ランプ２から生じる輻射雑音を、図３に示すものよりも低減できる。
【００２９】
以上のように構成すれば、無電極ランプ２を、その軸Ｏ１と筒状体３１ａの軸Ｏ２とを傾斜させた状態で筒状体３１ａに取り付ければ良く、従来の筐体３１を、光照射部３２の位置や大きさを変更することなくそのまま用いることもでき、容易に低コストで製作できる。
【００３０】
尚、上記実施形態では、筒状体３１ａの軸Ｏ１と無電極ランプ２のバルブ２１の軸Ｏ２とのなす角度αを、２０°〜４０°程度としているが、この形態のものに限らず、適宜変更できる。
【００３１】
又、上記実施形態では、コイル巻回部２０ａにおける巻回部長さ方向の一端から他端までの全領域にわたる径外側を、筒状体３１ａが包囲するようにしているが、この形態のものに限らず、適宜変更できる。
【００３２】
例えばコイル巻回部２０ａにおける巻回部長さ方向の少なくとも略中央部の径外側を、筒状体３１ａが包囲するようにすれば良く、適宜変更できる。上述のように、無電極ランプ２から生じる磁束は、コイル巻回部２０ａの径外側が最も磁束密度が高くなると考えられるが、そのコイル巻回部２０ａの内でも、コイル巻回部２０ａにおける巻回部長さ方向の中央部の径外側が磁束密度が最も高いと考えられる。従って、少なくとも上記中央部の径外側を、筒状体３１ａが包囲するようにしておけば、無電極ランプ２から生じる輻射雑音を効率良く低減できる。
【図面の簡単な説明】
【００３３】
【図１】本発明の一実施の形態の照明器具の概略説明図である。
【図２】コイル巻回部から生じた磁束が筐体の筒状体にループ電流になって流れる際の説明図である。
【図３】無電極ランプを筐体の筒状体内に、無電極ランプの軸方向と筒状体の軸方向とをほぼ一致させるようにして収納させた際の説明図である。
【符号の説明】
【００３４】
１    照明器具
２    無電極ランプ
３    無電極ランプ用保持具
２１    バルブ
３１    筐体
３１ａ    筒状体
３２    光照射部
【図１】
2009205822.tif 000003
【図２】
2009205822.tif 000004
【図３】
2009205822.tif 000005